(57)【要約】      （修正有）【課題】リフトシリンダを省略して重量の低減を図り、構造を単純化した作業用リフトの昇降体の昇降装置を提供する。【解決手段】台盤１上にマスト２を立設してリフト主体を構成した作業用リフトに係り、昇降体に、カバー枠１２で取り囲んだ装置室１３を設ける。該装置室１３の上部にチェーン装置１４の駆動ブロック１８を吊設し、該駆動ブロック１８に備えた駆動輪１７に上部がかみ合う無端状の操作チェーン１９を前記装置室１３から外部に導出する。前記駆動輪１７に連動して回動するロードシーブ１６を前記駆動ブロック１８に設け、該ロードシーブ１６に中間部をかみ合わせたロードチェーン２０の一端側の自由端を前記装置室１３の空隙内に配し、前記駆動ブロック１８より下方で前記装置室１３内に回動自在に収納した案内輪２１にかみ合わせ、前記装置室１３の上方に導出させた他の一端側を、前記マスト２の上方に止着する。【選択図】図４
2010247947.tif 000002
【特許請求の範囲】
【請求項１】
移動用車輪で受支させた台盤上にマストを立設してリフト主体を構成し、該リフト主体の前記マストにフォーク等の載荷部を備えた昇降体を縦動自在に組付けた作業用リフトにおいて、前記昇降体に、カバー枠で取り囲んだ装置室を設け、該装置室の上部にチェーン装置の駆動ブロックを吊設し、該駆動ブロックに備えた駆動輪に上部がかみ合う無端状の操作チェーンを前記装置室から外部に導出すると共に、前記駆動輪に連動して回動するロードシーブを前記駆動ブロックに設け、該ロードシーブに中間部をかみ合わせたロードチェーンの一端側の自由端を前記装置室の空隙内に配し、前記駆動ブロックより下方にして前記装置室内に回動自在に収納した案内輪にかみ合わせて前記装置室の上方に導出させた他の一端側を、前記マストの上方に止着した、作業用リフトにおける昇降体の昇降装置。
【発明の詳細な説明】
【技術分野】
【０００１】
本発明は、移動用車輪で受支させた台盤上にマストを立設してリフト主体を構成し、該リフト主体の前記マストに組付けた、フォーク等を備えた昇降体を、前記支柱に沿って昇降させる、作業用リフトにおける昇降体の昇降装置に関するものである。
【背景技術】
【０００２】
固定マストと、該固定マストに昇降自在に組付けた移動マストと、移動マストに昇降自在に組付け、しかも、フォークを備えた昇降体と、前記移動マストを前記固定マストに対して昇降させるリフトシリンダと、移動マストの上部に回動可能に設けた案内車および該案内車にかみ合わせて一端を前記固定マストに、他端を前記昇降体に止着したチェーンとで構成し、リフトシリンダによって前記移動マストを固定マストに沿って昇降させて前記案内車位置上下に移動させ、その結果、移動マストに沿って昇降体が縦動するようにした構造のものが一般である。（例えば、特許文献１）。
【先行技術文献】
【特許文献】
【０００３】
【特許文献１】実公昭６１−２６３１５号公報
【発明の概要】
【発明が解決しようとする課題】
【０００４】
前記従来構造のものは、リフトシリンダを用いて固定マストに対し移動マストを昇降させ、該昇降に伴ってチェーン装置を用いて移動マストに沿わせて昇降体を昇降させる構成を採るので、構造が複雑で、重量も嵩む。
【０００５】
本発明は、昇降操作の動力源として用いていたリフトシリンダを省略して重量を低減し、必然的に構造を単純化した昇降装置を提供すべく創案したものである。
【課題を解決するための手段】
【０００６】
移動用車輪で受支させた台盤上にマストを立設してリフト主体を構成し、該リフト主体の前記マストにフォーク等の載荷部を備えた昇降体を縦動自在に組付けた作業用リフトにおいて、前記昇降体に、カバー枠で取り囲んだ装置室を設け、該装置室の上部にチェーン装置の駆動ブロックを吊設し、該駆動ブロックに備えた駆動輪に上部がかみ合う無端状の操作チェーンを前記装置室から外部に導出すると共に、前記駆動輪に連動して回動するロードシーブを前記駆動ブロックに設け、該ロードシーブに中間部をかみ合わせたロードチェーンの一端側の自由端を前記装置室の空隙内に配し、前記駆動ブロックより下方にして前記装置室内に回動自在に収納した案内輪にかみ合わせて前記装置室の上方に導出させた他の一端側を、前記マストの上方に止着した、構成とするのである。
【発明の効果】
【０００７】
本発明によれば、操作チェーンを操作することによりロードチェーンの移動を自在に行って昇降体の縦動を行うことができるものであるから、構造が簡単で、操作が簡便な作業用リフトを提供できる。また、昇降体に作業ステージを設けることにより所謂梯子代りの昇降具或いは作業台として用いることのできる作業用リフトを提供でき、実用的である。
【図面の簡単な説明】
【０００８】
【図１】側面図。
【図２】平面図。
【図３】正面図。
【図４】一部拡大断面図。
【図５】図４の右側面図。
【図６】チェーン装置の一部拡大図。
【図７】昇降体を昇降させた状態の側面図。
【図８】分解側面図。
【図９】作業ステージを備えた昇降体を昇降させた状態の側面図。
【実施例】
【０００９】
図面は、本発明に係る作業用リフトにおける昇降体の昇降装置の一実施例を示し、実施例の作業用リフトＡは、台盤１上にマスト２を（分離自在に）立設して構成したリフト主体Ａａと該リフト主体Ａａのマスト２に昇降主体３ａにおいて縦動自在に組付けた昇降体３とで成り、昇降体３は、昇降主体３ａにフォーク３ｂと作業ステージ３ｃを選択的にして着脱自在に組付けて構成し、昇降主体３ａにフォーク３ｂを組付けて昇降体３とするときは、作業用リフトＡを物品搬送用の簡易リフトとして用い、また、昇降主体３ａに作業ステージ３ｃを組付けて昇降体３とするときは、塗装作業や電気工事時に用いる作業台として用いるようにしたものである。
【００１０】
台盤１は、主体部１ａより前方に向けて互いに並行させて突設した一対の前側杆部１ｂ，１ｂの先端側自由端と、同じく互いに並行させて後方に向けてわずかに突設した後側杆部１ｃ，１ｃの後端側自由端のそれぞれに配した、前後の車輪４，４´によって受支された枠体で成り、主体部１ａに備えたベース板１Ａの中央部には支筒５を立設すると共に、前記車輪４，４´を利用した移動操作用のハンドル枠６を、前記主体部１ａと前記後側杆部１ｃにわたすようにして立設して構成したものである。
【００１１】
マスト２は、台盤１と同様に軽量なアルミニウムを素材とした方形筒体で成り、台盤ベース板１Ａ上に立設した前記支筒５に外嵌して台盤１に取外し自在に組付け、ベース板１Ａ上、すなわち、台盤１上に垂直状に立設して用いるもので、このマスト２には、前記の通り、前記昇降主体３ａを外嵌して摺（縦）動自在に組付ける。
【００１２】
昇降体３を構成する昇降主体３ａは、前記マスト２に縦動自在に外嵌した筒状主体７の前部片７ａに、引掛け杆８と受支杆９を、引掛け杆８を上側にして上下に並設し、後部片７ｂにはカバー枠１２を組付けて装置室１３を設け、この装置室１３内に装置したチェーン装置１４の操作により前記マスト２に、沿って、適宜の高さ位置まで自在に昇降するようにしたものである。
【００１３】
チェーン装置１４は、ロードシーブ１６と該ロードシーブ１６を回動させる駆動輪１７を備えた駆動ブロック１８と、該駆動ブロック１８の前記駆動輪１７にかみ合わせた操作チェーン１９と、駆動ブロック１８の前記ロードシーブ１６にかみ合わせロードチェーン２０とかみ合う案内輪２１とで構成する。
【００１４】
このチェーン装置１４の前記駆動ブロック１８は、筒状主体７の前記後部片７ｂに後方に向けて突設した上支持部片１５に仲介片２２を介して揺動自在に支持させ、該駆動ブロック１８の前記駆動輪１７にかみ合わせた無端状の前記操作チェーン１９の下部側を連通口２３を通じて装置室１３外部に導出させてある。そして、前記上支持部片１５と同様に後方に向けて突設した下支持部片１５´に、前記案内輪２１を回動自在に枢支させ、この案内輪２１に駆動ブロック１８のロードシーブ１６にかみ合わせて一端側の自由端を前記装置室１３の空隙内に納めた前記ロードチェーン２０をかみ合わせて、他の一端側を前記装置室１３外部に導出させ、該ロードチェーン２０の他の一端を前記マスト２の後部片２ｂの上端部に止着材２４を介して止着してある。
【００１５】
実施例の載荷材としてのフォーク３ｂは、立上り部の下部に配した掛止杆３ｂ´を昇降主体３ａの受支杆９上に載置し、立上り部の上端部を受支杆９より上方に配した引掛け杆８の裏（後）側に配して組付け、水平部上に物品を積載するようにして用いるもので、前記のチェーン装置１４によって昇降主体３ａに伴って上下に移動し、最も下方に配したときは、前記台盤１の前側杆部１ｂ，１ｂ杆の間隙２５内に係合し、物品の積載操作が支障なく行われるようにしてある。
【００１６】
また、前記作業ステージ３ｃは、床台３ｃ´と該床台３ｃ´を取り囲んだ仕切り枠３ｃ´´とで構成し、実施例の場合は、前記フォーク３ｂと同形なものの上に載置して図示省略した固定手段で着脱自在にフォーク３ｂに取付け、高所作業での足場として用いるようにしたものである。
【００１７】
そして、作業用リフトＡは、ハンドル枠６を手先で保持して移動させるようにすると、前後の車輪４，４´が転動して自在に移動させることができ、所望位置における地上にて操作チェーン１９を時計廻り方向に牽引すると、該操作チェーン１９の時計廻り方向に従って駆動輪１７は回動し、その回動に従ってロードシーブ１６は回動してロードシーブ１６にかみ合わせたロードチェーン２０に沿って相対的に移動することになり、ロードチェーン２０はロードシーブ１６に巻き取られるようにして装置室１３にからみ取られ、この結果、昇降体３はマスト２に沿って上昇し、フォーク３ｂ上に物品が載置されていれば、該物品は低所から高所へと移動することになる。
【００１８】
そして、操作チェーン１９を反時計廻り方向に牽引させると、昇降体３は高所から低所位置へと移動する。
【００１９】
なお、昇降体３に作業ステージ３ｃを装置して該作業ステージ３ｃ上で、操作チェーン１９を操作すると、作業ステージ３ｃは人を乗せた状態で昇降し、高さ位置を変えられるから、使用勝手の良好な作業台として用いることができる。
【符号の説明】
【００２０】
１          台盤
２          マスト
３          昇降体
４，４´    車輪
１２        カバー枠
１３        装置室
１４        チェーン装置
１６        ロードシーブ
１７        駆動輪
１８        駆動ブロック
１９        操作チェーン
２０        ロードチェーン
２１        案内輪
【図１】
2010247947.tif 000003
【図２】
2010247947.tif 000004
【図３】
2010247947.tif 000005
【図４】
2010247947.tif 000006
【図５】
2010247947.tif 000007
【図６】
2010247947.tif 000008
【図７】
2010247947.tif 000009
【図８】
2010247947.tif 000010
【図９】
2010247947.tif 000011